(57)【要約】【課題】解答を含めた暗記用教材の作成が容易になる画像形成装置を提供する。【解決手段】画像形成装置１は、読取部１１０と、画像形成部１４０とを備える。読取部は、原稿に形成された複数の画像を読み取る。画像形成部は、複数の画像を複数のシートに形成する。複数の画像は、第１色彩を有する第１画像５１と、第１色彩とは異なる第２色彩を有する第２画像５２とを含む。複数のシートは、第１シートと、第１シートとは異なる第２シートとを含む。画像形成部は、第１画像を第１シートに形成し、第２画像５２を第２シートに形成する。【選択図】図１
2018142791.tif 000002
【特許請求の範囲】
【請求項１】
原稿に形成された複数の画像を読み取る読取部と、
前記複数の画像を複数のシートに形成する画像形成部と
を備え、
前記複数の画像は、第１色彩を有する第１画像と、前記第１色彩とは異なる第２色彩を有する第２画像とを含み、
前記複数のシートは、第１シートと、前記第１シートとは異なる第２シートとを含み、
前記画像形成部は、前記第１画像を前記第１シートに形成し、前記第２画像を前記第２シートに形成する、画像形成装置。
【請求項２】
前記第１画像が暗記用教材の問題を示し、
前記第２画像が前記暗記用教材の解答を示す、請求項１に記載の画像形成装置。
【請求項３】
前記複数の画像を表示する表示部と、
前記複数の画像の一部に対する第１タッチ操作を検出する検出部と、
前記第１タッチ操作が検出されたとき、前記複数の画像の前記一部の色彩を特定する色彩特定部と、
前記特定された色彩と同じ色彩を有する画像を前記複数の画像から選択する選択部と
を更に備え、
前記画像形成部は、前記選択された画像を前記第２画像として前記第２シートに形成する、請求項１又は請求項２に記載の画像形成装置。
【請求項４】
前記第２シートは、透明又は半透明であり、
前記検出部が前記第１タッチ操作を検出したとき、前記画像形成部は、前記選択された画像を前記第２シートに形成する、請求項３に記載の画像形成装置。
【請求項５】
前記第１画像に対する前記第２画像の位置を特定する位置特定部を更に備え、
前記画像形成部は、前記特定された前記第２画像の位置に対応するように、前記第１シートにマークを形成する、請求項１から請求項４のいずれか１項に記載の画像形成装置。
【請求項６】
前記第２画像の色彩を前記第２色彩とは異なる色彩に変更する変更部を更に備え、
前記画像形成部は、前記第２色彩とは異なる色彩を有する前記第２画像を前記第２シートに形成する、請求項１から請求項５のいずれか１項に記載の画像形成装置。
【請求項７】
前記複数の画像の各々は、単数又は複数の記号を含み、
前記検出部は、前記記号に対する第２タッチ操作を検出し、
前記検出部が前記第２タッチ操作を検出したとき、前記色彩特定部は前記記号の色彩を特定し、
前記選択部は、前記特定された色彩と同じ色彩を有する前記記号を前記複数の画像から選択し、
前記画像形成部は、前記選択された記号を前記第２画像として前記第２シートに形成する、請求項３に記載の画像形成装置。
【発明の詳細な説明】
【技術分野】
【０００１】
本発明は、画像形成装置に関する。
【背景技術】
【０００２】
特許文献１に記載の画像形成装置においては、原稿画像が原稿から読み取られ、原稿画像内で、特定色彩を有する特定領域が特定される。画像形成装置は、特定領域の画像を黒色又は白色の画像に変換し、原稿画像をシートに形成する。従って、特定色彩のマーカーを使用して原稿をマーキングすることによって、例えば、マーキングされた文字が黒色に塗りつぶされた画像を原稿画像から得ることができ、暗記用教材の問題と解答とのうち問題を作成することができる。
【先行技術文献】
【特許文献】
【０００３】
【特許文献１】特開２００６−１２１２０５号公報
【発明の概要】
【発明が解決しようとする課題】
【０００４】
しかしながら、特許文献１に記載の画像形成装置においては、マーキングされた文字が例えば黒色に塗りつぶされるために、マーキングされた文字を確認するとき、元の原稿を確認する必要がある。従って、暗記用教材を配布する際には、暗記用教材の解答として、例えば元の原稿のコピーを配布する必要がある。その結果、暗記用教材の問題を作成するための作業とは別に、元の原稿をコピーするような作業を行う必要があり、解答を含めた暗記用教材の作成が煩雑になる。
【０００５】
本発明は、上記課題に鑑みてなされたものであり、解答を含めた暗記用教材の作成が容易になる画像形成装置を提供することを目的としている。
【課題を解決するための手段】
【０００６】
本発明によれば、画像形成装置は、読取部と、画像形成部とを備える。読取部は、原稿に形成された複数の画像を読み取る。画像形成部は、複数の画像を複数のシートに形成する。複数の画像は、第１色彩を有する第１画像と、第１色彩とは異なる第２色彩を有する第２画像とを含む。複数のシートは、第１シートと、第１シートとは異なる第２シートとを含む。画像形成部は、第１画像を第１シートに形成し、第２画像を第２シートに形成する。
【発明の効果】
【０００７】
本発明によれば、解答を含めた暗記用教材の作製が容易になる。
【図面の簡単な説明】
【０００８】
【図１】本発明の実施形態１に係る画像形成装置を示す図である。
【図２】原稿を示す図である。
【図３】暗記用教材の作成処理を示すフローチャートである。
【図４】図１の画像形成装置の制御系統を示す図である。
【図５】図１の表示部を示す図である。
【図６】第１シートを示す図である。
【図７】第２シートを示す図である。
【図８】第３シートを示す図である。
【発明を実施するための形態】
【０００９】
以下、図１〜図８を参照して、本発明の実施形態を説明する。なお、図中、同一又は相当部分については同一の参照符号を付して説明を繰り返さない。
【００１０】
図１を参照して、本発明の一実施形態に係る画像形成装置の概略構成を説明する。図１は、本発明の実施形態１に係る画像形成装置１を示す。画像形成装置１は、例えば複合機である。
【００１１】
図１に示すように、画像形成装置１は暗記用教材を作成する。暗記用教材には問題と解答とが含まれる。画像形成装置１は、制御部１０と、表示部２０と、検出部３０と、記憶部４０と、画像形成機構６０と、原稿読取機構７０とを備える。制御部１０は、中央処理装置を含み、暗記用教材の作成処理を実行する。作成処理は、暗記用教材の問題と、暗記用教材の解答とを作成するための処理である。また、制御部１０は、表示部２０、検出部３０、記憶部４０、画像形成機構６０、及び原稿読取機構７０を制御する。
【００１２】
表示部２０は、画像を表示する。検出部３０は、例えばタッチパネルであり、表示部２０の表示面に配設される。検出部３０は、表示部２０に表示された画像に対するタッチ操作を検出する。記憶部４０は、各種情報を記憶する。
【００１３】
原稿読取機構７０は、原稿搬送部１００と、読取部１１０とを含む。原稿搬送部１００は読取部１１０に原稿を搬送する。読取部１１０は、原稿に形成された複数の画像を読み取る。記憶部４０は、各種情報として、複数の画像の各画素に対応する色彩を示すデータを記憶する。
【００１４】
画像形成機構６０は、収納部１２０と、搬送部１３０と、画像形成部１４０と、定着部１５０と、排出部１６０とを含む。
【００１５】
収納部１２０は、複数のカセット１２１を含み、シートＴを収納する。カセット１２１は、シートＴを支持する。シートＴは、普通紙Ｔ１、薄紙Ｔ２、及びＯＨＰフィルムＴ３を含む。
【００１６】
搬送部１３０は、収納部１２０から画像形成部１４０及び定着部１５０を経て、排出部１６０までシートＴを搬送する。
【００１７】
画像形成部１４０は、原稿に形成された複数の画像を複数のシートに形成する。複数の画像は、第１画像と、第２画像とを含む。複数のシートは、第１シートと、第２シートとを含む。第１画像は第１色彩を有する。第２画像は第２色彩を有する。第２色彩は、第１色彩とは異なる色彩である。第２シートは、第１シートとは異なるシートである。画像形成部１４０は、第１画像を第１シートに形成し、第２画像を第２シートに形成する。定着部１５０は、画像が形成されたシートＴを加熱及び加圧して、シートＴに画像を定着させる。排出部１６０は、画像が形成されたシートＴを排出する。
【００１８】
次に、図２及び図３を参照して、制御部１０の動作を説明する。図２は、原稿Ｒを示す。
【００１９】
図２に示すように、原稿Ｒには、複数の記号を含む記号画像５０が形成されている。「記号」は、文字、及び狭義の記号（例えば、感嘆符「！」、パーセント記号「％」、番号記号「＃」）を含む。
【００２０】
記号画像５０は、複数の画像（第１画像５１、第２画像５２、及び第３画像５３）を含む。第１画像５１は第１色彩を有する。第２画像５２は第２色彩を有する。第３画像５３は第３色彩を有する。第１画像５１、第２画像５２、及び第３画像５３の各々は単数又は複数の記号を含む。
【００２１】
第３色彩は、第１色彩、及び第２色彩とは異なる色彩である。例えば、第１色彩は黒色であり、第２色彩は赤色であり、第３色彩は青色である。
【００２２】
図３は、暗記用教材の作成処理を示すフローチャートである。図３に示すように、ステップＳ１において、制御部１０は、原稿Ｒに形成された記号画像５０を読み取るように原稿読取機構７０を制御する。
【００２３】
ステップＳ２において、制御部１０は、原稿Ｒから読み取った記号画像５０を表示するように、表示部２０を制御する。
【００２４】
ステップＳ３において、制御部１０は、第２色彩を示すデータを記憶するように、記憶部４０を制御する。記憶部４０は、第２色彩を示すデータを、登録色彩を示すデータとして記憶し、登録色彩は、暗記用教材の解答を示す画像の色彩として、記憶部４０に記憶される。また、制御部１０は、第３色彩を示すデータを記憶するように、記憶部４０を制御し、記憶部４０は、第３色彩を示すデータを、登録色彩を示すデータとして記憶する。
【００２５】
具体的には、記号画像５０の一部に対するタッチ操作（第１タッチ操作）が検出されたとき、制御部１０は、タッチ操作された記号画像５０の一部の色彩を特定し、特定された色彩を示すデータを記憶するように、記憶部４０を制御する。より具体的には、記号画像５０内の記号に対するタッチ操作（第２タッチ操作）が検出されたとき、制御部１０は、タッチ操作された記号の色彩を特定し、特定された色彩を示すデータを記憶するように、記憶部４０を制御する。
【００２６】
例えば、タッチ操作された記号が第２画像５２内の記号であるとき、記憶部４０は、登録色彩を示すデータとして第２色彩を示すデータを記憶する。また、タッチ操作された記号が第３画像５３内の記号であるとき、記憶部４０は、登録色彩を示すデータとして第３色彩を示すデータを記憶する。
【００２７】
登録色彩を示すデータとして、例えば、三原色（赤（Ｒ）、緑（Ｇ）、青（Ｂ））の各々の明度を示すＲＧＢデータを記憶部４０は記憶する。ＲＧＢデータが三原色の各々の明度を２５６段階の値によって示す場合、例えば明度が最大である赤色は、ＲＧＢデータ（２５６，０，０）によって示される。明度が最大である緑色は、ＲＧＢデータ（０，２５６，０）によって示される。明度が最大である青色は、ＲＧＢデータ（０，０，２５６）によって示される。
【００２８】
ステップＳ４において、制御部１０は、第２色彩を示すデータと第３色彩を示すデータとに基づいて、第２画像５２と第３画像５３とを記号画像５０から選択する。例えば、第２色彩がＲＧＢデータ（２１０，０，０）によって示される場合、制御部１０は、第２画像５２としてＲＧＢデータが（１９０，０，０）〜（２３０，２０，２０）である画像（第２画像）を記号画像５０から選択する。また、例えば、第３色彩がＲＧＢデータ（０，０，２１０）によって示される場合、制御部１０は、第３画像５３としてＲＧＢデータが（０，０，１９０）〜（２０，２０，２３０）である画像（第３画像）を記号画像５０から選択する。
【００２９】
ステップＳ５において、制御部１０は、第２画像５２を第２シート（例えば薄紙Ｔ２）に形成するように画像形成機構６０を制御する。第２画像５２が形成された第２シートが、暗記用教材の解答として使用される。薄紙Ｔ２は、半透明なシートＴの一例である。
【００３０】
また、制御部１０は、第３画像５３を第３シート（例えばＯＨＰフィルムＴ３）に形成するように画像形成機構６０を制御する。第３画像５３が形成された第３シートが、暗記用教材の解答として使用される。ＯＨＰフィルムＴ３は、透明なシートＴの一例である。なお、第３画像５３は、第２画像５２が形成された第２シートの裏面に形成されてもよい。
【００３１】
第３シートは、第１シートと異なるシートである。第２シートと、第３シートとは、同じシートであってもよいし、異なるシートであってもよい。第１シートと、第２シートと、第３シートとは、異なる種類のシートであってもよい。第１シートと、第２シートと、第３シートとは、例えば、薄紙又はＯＨＰフィルムである場合、同じ種類のシートであってもよい。
【００３２】
また、制御部１０は、記号画像５０のうち、第２画像５２及び第３画像５３以外の画像（第１画像５１）を第１シート（例えば普通紙Ｔ１）に形成するように、画像形成機構６０を制御する。記号画像５０のうち、第２画像５２及び第３画像５３以外の画像が形成された第１シートが、暗記用教材の問題として使用される。
【００３３】
第１シートには、記号画像５０のうち、登録色彩を有していない全ての画像が形成される。例えば、記号画像５０が、第４色彩（例えば、緑色の色彩）を有する第４画像を更に含んでいるとき、第４色彩が登録色彩として登録されていないと、第４画像は第１画像５１と共に第１シートに形成される。また、例えば、第３色彩が登録色彩として登録されていないと、第３画像５３も第１画像５１と共に第１シートに形成される。
【００３４】
以上、図１〜図３を参照して説明したように、本実施形態の画像形成装置１によれば、記号画像５０のうち、第１画像５１は第１シートに形成され、第２画像５２は第２シートに形成される。また、記号画像５０のうち第３画像は、第３シートに形成される。従って、記号画像５０から第２画像５２を消去するように記号画像５０を処理し、処理した画像を第１シートに形成することができ、暗記用教材の問題を作成することができる。また、記号画像５０から第３画像５３を消去するように記号画像５０を処理し、処理した画像を第１シートに形成することができ、暗記用教材の問題を作成することができる。また、暗記用教材の解答にあたる第２画像５２及び第３画像５３は第２シート及び第３シートにそれぞれ形成される。従って、ユーザーは、暗記用教材の問題を作成するための作業とは別に暗記用教材の解答を作成するための特別な作業を行う必要がなく、暗記用教材の解答を作成することが容易になる。
【００３５】
また、図１〜図３を参照して説明したように、本実施形態の画像形成装置１によれば、第２画像５２と第３画像５３とは、薄紙Ｔ２又はＯＨＰフィルムＴ３に形成される。薄紙Ｔ２は半透明であり、ＯＨＰフィルムＴ３は透明である。従って、例えば、第１画像５１が形成された第１シートの上に第２シートと第３シートとを重ねたとき、ユーザーが第１画像５１を視認することが容易になる。その結果、暗記用教材の問題を使用して学習した内容を確認することが容易になる。
【００３６】
なお、制御部１０は、第１シートに形成される画像（例えば第１画像５１）の濃度が所定濃度以下のとき、所定濃度以上の濃度で第１シートに画像を形成するように、画像形成機構６０を制御することができる。あるいは、制御部１０は、第１シートに形成される画像の濃度を元の画像の濃度よりも所定の比率（例えば、１．２倍）で濃くするように、画像形成機構６０を制御することができる。その結果、暗記用教材の問題としての第１シートの上に第２シート及び／又は第３シートを重ねて使用するとき、第１シートに形成された画像が見えにくくなることを抑制できる。
【００３７】
次に、図１〜図３とともに、図４〜図８を参照して、暗記用教材の作成処理を更に詳細に説明する。
【００３８】
図４は、制御部１０を示す。制御部１０は、位置特定部１１と、色彩特定部１２と、選択部１３と、変更部１４とを含む。位置特定部１１は、第１画像５１に対する第２画像５２の位置を特定する。画像形成部１４０は、特定された第２画像５２の位置に対応するように、第１シートにマークを形成する。色彩特定部１２は、記号画像５０の一部に対するタッチ操作が検出されたとき、タッチ操作された記号画像５０の一部の色彩を特定する。具体的には、色彩特定部１２は、記号画像５０内の記号に対するタッチ操作が検出されたとき、タッチ操作された記号の色彩を特定する。選択部１３は、特定された色彩と同じ色彩を有する画像（具体的には、記号）を記号画像５０から選択する。
【００３９】
図５は、表示部２０を示す。図５に示すように、表示部２０は、記号画像５０を表示する。記号画像５０のうち、第２画像５２は、記号列「命令」を示す第２画像５２Ａと、記号列「人間」を示す第２画像５２Ｂと、記号列「人間」を示す第２画像５２Ｃとを含む。第２画像５２Ａ、第２画像５２Ｂ、及び第２画像５２Ｃの各々は第２色彩を有する。記号画像５０のうち、第３画像５３は、記号列「危害」を示す第３画像５３Ａと、記号列「自己」を示す第３画像５３Ｂとを含む。第３画像５３Ａ、及び第３画像５３Ｂの各々は第３色彩を有する。
【００４０】
また、表示部２０は、第１登録ボタン２１Ａと、第２登録ボタン２１Ｂと、第３登録ボタン２１Ｃと、第４登録ボタン２１Ｄと、第１登録色彩２２Ａと、第２登録色彩２２Ｂと、第３登録色彩２２Ｃと、第４登録色彩２２Ｄと、印刷ボタン２３と、保存ボタン２４とを表示する。
【００４１】
制御部１０は、読み込みモードと、色彩登録モードとを有する。読み込みモードは、原稿Ｒから記号画像５０を読み込むための制御部１０の動作モードである。色彩登録モードは、登録色彩を登録するための制御部１０の動作モードである。検出部３０が第１登録ボタン２１Ａ〜第４登録ボタン２１Ｄのうちのいずれかのボタンに対するタッチ操作を検出すると、制御部１０の動作モードは、読み込みモードから色彩登録モードに遷移する。色彩登録モードにおいては、記号画像５０に含まれるいずれかの画像の色彩が第１登録色彩２２Ａ〜第４登録色彩２２Ｄのうちのいずれかの登録色彩として登録される。
【００４２】
例えば、検出部３０が第１登録ボタン２１Ａに対するタッチ操作を検出すると、制御部１０の動作モードは、第１登録色彩２２Ａを登録するための色彩登録モードに遷移する。
【００４３】
図５に示すように、第１登録色彩２２Ａを登録するための色彩登録モードにおいて、検出部３０が記号画像５０に含まれる記号に対するタッチ操作を検出すると、色彩特定部１２は、タッチ操作された記号の色彩を特定する。特定された色彩を第１登録色彩２２Ａとして登録するために、制御部１０は、タッチ操作された記号の色彩を示すデータを記憶するように、記憶部４０を制御する。
【００４４】
例えば、第１登録色彩２２Ａを登録するための色彩登録モードにおいて、検出部３０が記号列「命令」を示す第２画像５２（第２画像５２Ａ）に対するタッチ操作を検出すると、色彩特定部１２は、第２画像５２Ａの色彩を特定する。第２画像５２Ａの色彩（第２色彩）が特定されると、制御部１０は、第２色彩を示すデータを、第１登録色彩２２Ａを示すデータとして記憶するように、記憶部４０を制御する。その結果、第２色彩が第１登録色彩２２Ａとして登録される。第１登録色彩２２Ａが登録された後に、検出部３０が保存ボタン２４に対するタッチ操作を検出すると、制御部１０は、新たに第１登録色彩２２Ａが登録されるまでの間、第２色彩を示すデータを第１登録色彩２２Ａを示すデータとして記憶するように記憶部４０を制御する。従って、同じ色彩を何度も登録する必要がなく、ユーザーの利便性が向上される。
【００４５】
第２色彩が第１登録色彩２２Ａとして登録されると、選択部１３は、第１登録色彩２２Ａと同じ色彩を有する記号を記号画像５０から選択する。本実施形態において、第２画像５２Ａ、第２画像５２Ｂ、及び第２画像５２Ｃは第２色彩を有しているため、記号画像５０から第２画像５２Ａ、第２画像５２Ｂ、及び第２画像５２Ｃが選択される。
【００４６】
また、例えば、検出部３０が第２登録ボタン２１Ｂに対するタッチ操作を検出すると、制御部１０の動作モードは、例えば第１登録色彩２２Ａを登録するための色彩登録モードから、第２登録色彩２２Ｂを登録するための色彩登録モードに遷移する。
【００４７】
図５に示すように、第２登録色彩２２Ｂを登録するための色彩登録モードにおいて、検出部３０が記号画像５０に含まれる記号に対するタッチ操作を検出すると、色彩特定部１２は、タッチ操作された記号の色彩を特定する。特定された色彩を第２登録色彩２２Ｂとして登録するために、制御部１０は、タッチ操作された記号の色彩を示すデータを記憶するように、記憶部４０を制御する。
【００４８】
例えば、第２登録色彩２２Ｂを登録するための色彩登録モードにおいて、検出部３０が記号列「危害」を示す第３画像５３（第３画像５３Ａ）に対するタッチ操作を検出すると、色彩特定部１２は、第３画像５３Ａの色彩を特定する。第３画像５３Ａの色彩（第３色彩）が特定されると、制御部１０は、第３色彩を示すデータを、第２登録色彩２２Ｂを示すデータとして記憶するように、記憶部４０を制御する。その結果、第３色彩が第２登録色彩２２Ｂとして登録される。第２登録色彩２２Ｂが登録された後に、検出部３０が保存ボタン２４に対するタッチ操作を検出すると、制御部１０は、新たに第２登録色彩２２Ｂが登録されるまでの間、第３色彩を示すデータを第２登録色彩２２Ｂを示すデータとして記憶するように記憶部４０を制御する。従って、同じ色彩を何度も登録する必要がなく、ユーザーの利便性が向上される。
【００４９】
第３色彩が第２登録色彩２２Ｂとして登録されると、選択部１３は、第２登録色彩２２Ｂと同じ色彩を有する記号を記号画像５０から選択する。本実施形態において、第３画像５３Ａ、及び第３画像５３Ｂは第３色彩を有しているため、記号画像５０から第３画像５３Ａ、及び第３画像５３Ｂが選択される。
【００５０】
選択部１３が記号画像５０から記号を選択した後に、検出部３０が印刷ボタン２３に対するタッチ操作を検出すると、制御部１０は、記号画像５０から第２画像５２及び第３画像５３を消去するように記号画像５０を処理する。処理された記号画像５０は、画像形成部１４０によって、暗記用教材の問題を示す画像として第１シート（例えば、普通紙Ｔ１）に形成される。
【００５１】
また、第２画像５２Ａ、第２画像５２Ｂ、及び第２画像５２Ｃは、画像形成部１４０によって、暗記用教材の解答を示す画像として第２シート（例えば、薄紙Ｔ２）に形成される。また、第３画像５３Ａ、及び第３画像５３Ｂも、暗記用教材の解答を示す画像として第３シート（例えば、ＯＨＰフィルムＴ３）に形成される。
【００５２】
次に、図６を参照して、暗記用教材を説明する。
【００５３】
図６は、第１シートとしての普通紙Ｔ１を示す。普通紙Ｔ１には、暗記用教材の問題を示す問題画像５４が形成されている。
【００５４】
図６に示すように、問題画像５４は、第１画像５１と、複数のマーク５５とを含む。
【００５５】
マーク５５は、位置特定部１１によって特定された第２画像５２の位置に対応するように、第１シートに形成される。マーク５５は、例えば下線を示す。下線は、問題画像５４に含まれる空白領域に付される。空白領域は、記号画像５０から第２画像５２Ａ、第２画像５２Ｂ、及び第２画像５２Ｃが消去されることによって第１シートに形成される。第１シートにおける空白領域の位置は原稿Ｒにおける第２画像５２Ａ、第２画像５２Ｂ、及び第２画像５２Ｃの位置と対応している。
【００５６】
また、マーク５５は、位置特定部１１によって特定された第３画像５３の位置に対応するように、第１シートに形成される。マーク５５は、例えば下線を示す。下線は、問題画像５４に含まれる空白領域に付される。空白領域は、記号画像５０から第３画像５３Ａ、及び第３画像５３Ｂが消去されることによって第１シートに形成される。第１シートにおける空白領域の位置は原稿Ｒにおける第３画像５３Ａ、及び第３画像５３Ｂの位置と対応している。
【００５７】
具体的には、マーク５５のうちマーク５５Ａは、特定された第２画像５２Ｂの位置に対応するように、第１シートに形成される。マーク５５のうちマーク５５Ｂは、特定された第３画像５３Ａの位置に対応するように、第１シートに形成される。マーク５５のうちマーク５５Ｃは、特定された第２画像５２Ｃの位置に対応するように、第１シートに形成される。マーク５５のうちマーク５５Ｄは、特定された第２画像５２Ａの位置に対応するように、第１シートに形成される。マーク５５のうちマーク５５Ｅは、特定された第３画像５３Ｂの位置に対応するように、第１シートに形成される。
【００５８】
次に図７及び図８を参照して、暗記用教材の解答を説明する。
【００５９】
図７は、第２シートとしての薄紙Ｔ２を示す。薄紙Ｔ２には、第１解答画像５６が形成されている。第１解答画像５６は、第２画像５２（第２画像５２Ａ、第２画像５２Ｂ、及び第２画像５２Ｃ）を含む。第２シート中の第２画像５２Ａ、第２画像５２Ｂ、及び第２画像５２Ｃの位置は、原稿Ｒ中の第２画像５２Ａ、第２画像５２Ｂ、及び第２画像５２Ｃの位置にそれぞれ対応している。従って、第２画像５２Ａがマーク５５Ｄに対応する空白領域と重なり、第２画像５２Ｂがマーク５５Ａに対応する空白領域と重なり、第２画像５２Ｃがマーク５５Ｃに対応する空白領域と重なるように、第１シートの上に第２シートを重ねることができる。その結果、暗記用教材の問題を使用して暗記した内容を容易に確認できる。
【００６０】
図８は、第３シートとしてのＯＨＰフィルムＴ３を示す。ＯＨＰフィルムＴ３には、第２解答画像５７が形成されている。第２解答画像５７は、第３画像５３（第３画像５３Ａ、及び第３画像５３Ｂ）を含む。第３シート中の第３画像５３Ａ、及び第３画像５３Ｂの位置は、原稿Ｒ中の第３画像５３Ａ、及び第３画像５３Ｂの位置にそれぞれ対応している。従って、第３画像５３Ａがマーク５５Ｂに対応する空白領域と重なり、第３画像５３Ｂがマーク５５Ｅに対応する空白領域と重なるように、第１シートの上に第３シートを重ねることができる。
【００６１】
以上、図５〜図８を参照して説明したように、本実施形態の画像形成装置１によれば、第１画像５１に対する第２画像５２の位置が特定され、特定された第２画像５２の位置に対応するように、第１シートにマーク５５が形成される。また、第１画像５１に対する第３画像５３の位置が特定され、特定された第３画像５３の位置に対応するように、第１シートにマーク５５が形成される。従って、問題画像５４の中で、記号画像５０から消去された記号列を容易に知ることができる。
【００６２】
また、図５〜図８を参照して説明したように、本実施形態の画像形成装置１によれば、表示部２０におけるタッチ操作によって、複数の登録色彩（第１登録色彩２２Ａ〜第４登録色彩２２Ｄ）が登録される。従って、暗記対象の記号列の難易度に応じて記号画像５０内の記号列の色彩を設定することができ、様々な難易度の暗記用教材を作成することが容易になる。
【００６３】
また、図５〜図８を参照して説明したように、本実施形態の画像形成装置１によれば、複数の画像の一部に対するタッチ操作が検出されたとき、第２シート（例えば、薄紙Ｔ２）及び第３シート（例えば、ＯＨＰフィルムＴ３）に、それぞれ選択された第２画像５２、及び第３画像５３が形成される。従って、第２シート及び第３シートが透明又は半透明である場合、暗記用教材としての第１シートの上に解答としての第２シート及び第３シートを重ねて使用するとき、第１シートに形成された画像が見えにくくなることを抑制できる。
【００６４】
次に、図７及び図８を参照して、変更部１４を説明する。変更部１４は、第２画像５２の色彩を第２色彩とは異なる色彩に変更する。画像形成部１４０は、第２色彩とは異なる色彩を有する第２画像５２を第２シートに形成する。例えば、変更部１４は、第２画像５２の色彩を第１色彩に変更する。第２画像５２Ａ〜第２画像５２Ｃの色彩は第２色彩から第１色彩に変更され、図７に示される第１解答画像５６には、第１色彩を有する第２画像５２Ａ〜第２画像５２Ｃが形成される。
【００６５】
また、変更部１４は、第３画像５３の色彩を第３色彩とは異なる色彩に変更する。画像形成部１４０は、第３色彩とは異なる色彩を有する第３画像５３を第３シートに形成する。例えば、変更部１４は、第３画像５３の色彩を第１色彩に変更する。第３画像５３Ａ、及び第３画像５３Ｂの色彩は第３色彩から第１色彩に変更され、図８に示される第２解答画像５７には、第１色彩を有する第３画像５３Ａ、及び第３画像５３Ｂが形成される。
【００６６】
以上、説明したように、本実施形態の画像形成装置１によれば、第２画像５２の色彩を第２色彩とは異なる色彩に変更可能である。従って、例えば、第２画像５２の色彩を第１色彩に変更することによって、第１色彩を有する第２画像５２を第２シートに形成することができる。その結果、画像形成装置１がカラー印刷機能を有していない場合にも、暗記用教材の問題と、暗記用教材の解答とを作成することができる。
【００６７】
以上、図面（図１〜図８）を参照しながら本発明の実施形態について説明した。本実施形態の画像形成装置１によれば、記号画像５０のうち、第１画像５１が第１シートに形成され、第２画像５２が第１シートとは異なる第２シートに形成される。従って、記号画像５０から第２画像５２を消去するように記号画像５０を処理し、処理した画像を第１シートに形成することができる。また、暗記用教材の解答にあたる第２画像５２が第２シートに形成される。従って、ユーザーは、暗記用教材の問題を作成するための作業とは別に暗記用教材の解答を作成するための特別な作業を行う必要がない。
【００６８】
但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【産業上の利用可能性】
【００６９】
本発明は、画像形成装置に関するものであり、産業上の利用可能性を有する。
【符号の説明】
【００７０】
１      ：画像形成装置
１０    ：制御部
１１    ：位置特定部
１２    ：色彩特定部
１３    ：選択部
１４    ：変更部
２０    ：表示部
３０    ：検出部
５０    ：記号画像
５１    ：第１画像
５２    ：第２画像
５４    ：問題画像
５５    ：マーク
５６    ：第１解答画像
５７    ：第２解答画像
１１０  ：読取部
１４０  ：画像形成部
Ｒ      ：原稿
Ｔ      ：シート
【図１】
2018142791.tif 000003
【図２】
2018142791.tif 000004
【図３】
2018142791.tif 000005
【図４】
2018142791.tif 000006
【図５】
2018142791.tif 000007
【図６】
2018142791.tif 000008
【図７】
2018142791.tif 000009
【図８】
2018142791.tif 000010